(57)【特許請求の範囲】
【請求項１】
水底に沈められて互いに連結しようとする沈埋函相互若しくは立坑と沈埋函の接合端部にあって、互いに対向する両バルクヘッドの一方側に他方側のバルクヘッドに向けて水密性を維持しつつ出入できる連通管を該バルクヘッドに貫通させて設置し、他方側のバルクヘッドに前記連通管の先端と互いに接合される連通管受筒を該バルクヘッドに貫通させて設置し、前記連通管と連通管受筒とには、該連通管の連通管受筒側への動作によって互いに密着する止水部を備えておき、前記連通管及び連通管受筒内を閉鎖させた状態で、前記連通管を一方のバルクヘッドより連通管受筒に向けてスライドさせ、その先端を連通管受筒に当接させた後、前記連通管受筒内を大気に開放することによって前記止水部を水圧により密着させ、然る後、連通管及び連通管受筒内を開放して両バルクヘッド間を連通させることを特徴としてなる沈埋函連結部のバルクヘッド間連通方法。
【請求項２】
水底に沈められて互いに連結しようとする沈埋函相互若しくは立坑と沈埋函の接合端部にあって、互いに対向する両バルクヘッドの内の一方側に、該バルクヘッドを貫通して設置され、他方側のバルクヘッドに向けてスライド自在で、かつ内部に開閉弁を有する連通管を備え、前記両バルクヘッドの内の他方側に、該バルクヘッドを貫通して設置され、かつ内方側端部に開閉弁を有する連通管受筒を備え、前記連通管及び／又は連通管受筒に、両者が軸方向に向けて当接されることによって密着する止水部を備え、前記連通管及び連通管受筒内を閉鎖させた状態で、前記連通管を一方のバルクヘッドより連通管受筒に向けてスライドさせ、その先端を連通管受筒に当接させた後、前記連通管受筒内を大気に開放することによって前記止水部を水圧により密着させることができるようにしてなる沈埋函連結部のバルクヘッド間連通装置。
【請求項３】
連通管受筒には，前記開閉弁とは別に給排水弁及び給排気弁を備えてなる請求項２に記載の沈埋函連結部のバルクヘッド間連通装置。
【請求項４】
連通管設置側のバルクヘッドを貫通して鞘管を設置し、該鞘管内に連通管を水密性を維持した状態でスライド自在に設置してなる請求項２に記載の沈埋函連結部のバルクヘッド間連通装置。
【請求項５】
鞘管に、該連通管をスライドさせるためのジャッキを備えてなる請求項４に記載の沈埋函連結部のバルクヘッド間連通装置。
【発明の詳細な説明】
【０００１】
【発明の属する技術分野】
本発明は、沈埋函トンネルの構築に際し、互いに接合する沈埋函同志、若しくは沈埋函とこれを連結する立坑との間の連結に先立ち、水底の連結位置で互いに対向させた接合端部同志のバルクヘッド間を互いに連通させる沈埋函連結部のバルクヘッド間連通方法及びその装置に関する。
【０００２】
【従来の技術】
従来、沈埋函トンネルの構築に際しては、先に設置した沈埋函若しくは立坑の接合端部に、新たに設置しようとする沈埋函の接合端部を対向させて沈設し、互いの接合端部を連結するに際し、沈埋函端部の接合面に、内部にセメントミルクやモルタル等のグラウトを注入することによって膨張する止水ゴムを設置しておき、接合面を互いに対向させて沈設した後、前記止水ゴム内にグラウトを注入して膨張させ、他方側の接合面に密着させることによって一次止水するようにした工法が開発されいている（例えば特願平１０−２８５１５号）。
【０００３】
この工法においては、止水ゴム内のグラウト注入は、既設沈埋函の沈設前にその接合端面に止水ゴムを予め設置しておき、これに連結する新設沈埋函を沈設した後、既設沈埋函内から行うようにしている。また、止水ゴムは外側を保護材でカバーして防護し、水生生物の付着を防止している。
【０００４】
【発明が解決しようとする課題】
このような従来の工法では、既設沈埋函側に接合用の止水ゴムを設置しておくため、その止水ゴムは実際に使用に供するまでの長期間水中にあり、保護材の設置及び水底での取り外しに多大の労力を要するという問題があった。
【０００５】
その問題を解決するためには、新設沈埋函側に止水ゴムを設置すればよい。しかしながら、この場合、新設沈埋函内にグラウト設備や材料を確保し、止水ゴムへのグラウト注入を新設沈埋函内部から行わなければならない。
【０００６】
ところが、資機材の転用や材料保管の問題等から新設沈埋函内部に予め設備や材料を準備できないこともある。
【０００７】
この場合、既設沈埋函側からグラウト注入を行う必要がある。このためには、既設函と新設函を連通管でつなぎ、モルタルを送り込むことになる。
【０００８】
一方、沈埋函の接合端部間の管路による連通を潜水夫によって行う方法は従来も行われているところであるが、前述のように止水ゴムを膨張させて一次止水を行う工法では、接合面間が接近しているため、新設沈埋函の沈設後には潜水夫がバルクヘッド部分へ入り込むことが困難となり、従来の潜水夫による連通作業は不可能である。
【０００９】
本発明は、このような従来の状況に鑑み、潜水夫による作業を要することなく、新設沈埋函の連結部におけるバルクヘッド間の連通が、低コストで、安全且つ確実になし得られる沈埋函連結部のバルクヘッド間連通方法及びその装置の提供を目的としてなされたものである。
【００１０】
【課題を解決するための手段】
上述の如き従来の問題を解決し、所期の目的を達成するための本発明に係る沈埋函連結部のバルクヘッド間連通方法の特徴は、水底に沈められて互いに連結しようとする沈埋函相互若しくは立坑と沈埋函の接合端部にあって、互いに対向する両バルクヘッドの一方側に他方側のバルクヘッドに向けて水密性を維持しつつ出入できる連通管を該バルクヘッドに貫通させて設置し、他方側のバルクヘッドに前記連通管の先端と互いに接合される連通管受筒を該バルクヘッドに貫通させて設置し、前記連通管と連通管受筒とには、該連通管の連通管受筒側への動作によって互いに密着する止水部を備えておき、前記連通管及び連通管受筒内を閉鎖させた状態で、前記連通管を一方のバルクヘッドより連通管受筒に向けてスライドさせ、その先端を連通管受筒に当接させた後、前記連通管受筒内を大気に開放することによって前記止水部を水圧により密着させ、然る後、連通管及び連通管受筒内を開放して両バルクヘッド間を連通させることにある。
【００１１】
また本発明に係る沈埋函連結部のバルクヘッド間連通装置の特徴は、水底に沈められて互いに連結しようとする沈埋函相互若しくは立坑と沈埋函の接合端部にあって、互いに対向する両バルクヘッドの内の一方側に、該バルクヘッドを貫通して設置され、他方側のバルクヘッドに向けてスライド自在で、かつ内部に開閉弁を有する連通管を備え、前記両バルクヘッドの内の他方側に、該バルクヘッドを貫通して設置され、かつ内方側端部に開閉弁を有する連通管受筒を備え、前記連通管及び／又は連通管受筒に、両者が軸方向に向けて当接されることによって密着する止水部を備え、前記連通管及び連通管受筒内を閉鎖させた状態で、前記連通管を一方のバルクヘッドより連通管受筒に向けてスライドさせ、その先端を連通管受筒に当接させた後、前記連通管受筒内を大気に開放することによって前記止水部を水圧により密着させることができるようにしたことにある。
【００１２】
尚、連通管受筒には，前記開閉弁とは別に給排水弁及び給排気弁を備えること、連通管設置側のバルクヘッドを貫通して鞘管を設置し、該鞘管内に連通管を、水密性を維持した状態でスライド自在に設置すること、及び、鞘管に、該連通管をスライドさせるためのジャッキを備えることが好ましい。
【００１３】
【発明の実施の形態】
次に本発明の実施の形態を図面について説明する。
【００１４】
図１〜図３は本発明に係る沈埋函連結部のバルクヘッド間連通装置の一例を示しており、図中１は既設沈埋函、２は新設沈埋函、１ａ，２ａは各沈埋函の接合端部をそれぞれ閉鎖しているバルクヘッドである。新設沈埋函２の接合端面３には、グラウト注入によって膨張し、対向する既設沈埋函１の接合端面４に密着する止水ゴム５が固定されており、この止水ゴム５内に新設沈埋函２内に通じるグラウト注入路６が連通されている。
【００１５】
新設沈埋函２のバルクヘッド２ａには、筒状をした連通管受筒１０が該バルクヘッドを貫通して固着されている。この連通管受筒１０は、バルクヘッド外側端部外周にフランジ状の止水部１１が一体に形成されている。
【００１６】
連通管受筒１０のバルクヘッド内側端部、即ち沈埋函内側端部にはボール弁からなる開閉弁１２が備えられている。また、該連通管受筒のバルクヘッド内側周壁には給排水路１３及び給排気路１４が連通され、それぞれに給排水弁１３ａ、給排気弁１４ａが備えられて、各給排水路、給排気路１３，１４を開閉できるようにしている。
【００１７】
バルクヘッド２ａには、連通管受筒１０に接近した位置に水圧導入路１５が内外に貫通して設けられ、水圧導入弁１５ａよって開閉されるようになっている。
【００１８】
既設沈埋函１のバルクヘッド１ａには、前述した新設沈埋函バルクヘッド２ａの連通管受筒１０と同軸線配置に筒状の鞘管２０が、該バルクヘッド１ａを貫通して設置されている。この鞘管２０内に連通管２１が同軸心配置に挿入されている。
【００１９】
連通管２１は、その外周面と鞘管２０の内周面との間には止水材（図示せず）が介在されて水密性が維持された状態で、該鞘管２０内を軸方向にスライドできるように挿通されている。連通管２１はバルクヘッド外側端部に、前述した連通管受筒１０と接合するフランジ状の止水部２２が一体に備えられ、該止水部２２の前面側にＯリングからなる止水材２３が固着されている。
【００２０】
連通管２１のバルクヘッド内側端部には，該バルクヘッド内を開閉するボール弁からなる開閉弁２４が備えられている。
【００２１】
連通管２１は、スクリュージャッキ２５によって出入動作されるようになっており、このスクリュージャッキ２５は、鞘管２０のバルクヘッド内側端部のフランジ２６に固定したスクリュー軸２５ａと、連通管２１の管内側端部外周に設けたフランジ２７に対して回転可能に支持させたナット２５ｂとから構成されており、ナット２５ｂをハンドル２５ｃによって回転させることにより軸方向の移動がなされるようになっている。尚、図において７はグラウト注入ホース、８はグラウトポンプ、９はアジテータである。
【００２２】
次に，このように構成されるバルクヘッド間連通装置を使用したバルクヘッド間連通方法について説明する。
【００２３】
各沈埋函１，２の沈設に先立ち、予め各バルクヘッド１ａ，２ａの所定の位置に連通管受筒１０、鞘管２０及び連通管２１を予め設置し、図４に示すように、連通管２１を既設沈埋函１内に引き入れた状態で、鞘管２０の先端開口部の防護用蓋材（図示せず。）を潜水夫により撤去しておき、既設沈埋函１に対向させて所定の位置に新設沈埋函２を沈設する。このとき各開閉弁１２，２４及び給排水弁１３ａ、吸排気弁１４ａはそれぞれ閉じた状態としておく。
【００２４】
このようにして新設沈埋函２を所定位置に沈設した後、図５に示すように、ジャッキ２５を操作して連通管２１を突出方向にスライドさせ、フランジ状止水部２２を止水材２３を介して対向する連通管受筒１０のフランジ状の止水部１１に当接させ、両止水部１１，２２間に止水材２３を挟みこませる。
【００２５】
この状態で図６に示すように給排水弁１３ａ及び給排気弁１４ａを開き、連通管受筒１０及び連通管２１内を大気（新設沈埋函２内が大気に通じている）に開放する。これによってフランジ状止水部２２にかかる水圧が連通管２１を連通管受筒１０内に押しこむ方向に作用し、止水部１１，２２間の止水材２３が圧縮され、連通管２１と連通管受筒１０との間が水圧によって強固な水密状態が形成される。
【００２６】
このようにして水密状態が確立された後、図７に示すように両開閉弁１２，２４を開き、両バルクヘッド１ａ，２ａ間を連通させ、図２に示すようにグラウト圧送用のホース７を通し、グラウト注入路６に連通させ、止水ゴム５内へのグラウト注入を完了させる。
【００２７】
グラウト注入等の所定作業完了後、連通状態を解除する際には、連通管２１内の挿入物を撤去した後、図８に示すように両開閉弁１２，２４を閉じ、給排水路１３を水圧導入路１５に連通させ、水圧導入弁１５ａを開く。これによってバルクヘッド間の水圧が連通管受筒１０及び連通管２１内に導入され、給排気路１３より排気されて連通管受筒１０及び連通管２１内水が充填される。このようにして水が充填されるのを待って給排気弁１３ａ、水圧導入弁１５ａ、は開放したまま給排水弁１４ａを閉じる。
【００２８】
このようにして連通管受筒１０及び連通管２１内水が充填させることにより、これらの内部をバルクヘッド間の水圧と同圧とし、然る後、図９に示すように前述とは逆に連通管２１を後退させて既設沈埋函２内に引き入れることにより連通解除作業が完了する。
【００２９】
尚、上述の例では、沈埋函相互間の連通について説明したが、既設沈埋函が例えば，沈埋函トンネル端部の立坑であってもよい。また、沈埋函トンネルを順次延長させる最初又は中間の沈埋函の他、最終継手となる沈埋函とその両側の沈埋函若しくは立坑との連通においても使用できる。
【００３０】
また、給排水路１３及び給排気路１４を連通管２１の後端部に設けるとともに、既設沈埋函１のバルクヘッド１ａに水圧導入路１５を設けてもよい。
【００３１】
更に、給排水路１３及び給排気路１４の何れか一方又は両方の役目を、連通管受筒１０若しくは連通管２１の後端部の開閉弁１２又は２４をもって受け持たせてもよい。
【００３２】
【発明の効果】
上述のように、本発明に係る沈埋函連結部のバルクヘッド間連通方法及びその装置は、互いに対向する両バルクヘッドの一方側に他方側のバルクヘッドに向けて、水密性を維持しつつスライドできる連通管を該バルクヘッドに貫通させて設置し、他方側のバルクヘッドに前記連通管の先端と互いに接合される連通管受筒を該バルクヘッド貫通させて設置しておき、前記連通管を連通管受筒に向けてスライドさせ、その先端を連通管受筒に当接させた後、前記連通管受筒内を大気に開放することによって止水部を互いに密着させるようにしたことにより、潜水夫による潜水作業を要することなく、水圧によって止水部が密着されることとなり、潜水作業が不可能なバルクヘッド間の連通が簡単な操作で可能となり、連通に必要な、連通管及び連通管受筒などの各資材は、沈設前に予めバルクヘッドに取り付けておくことができ、従来に比べて低コストでの連通作業が可能となり、しかも、安全且つ確実な連通状態を得ることができる。
【図面の簡単な説明】
【図１】本発明を実施する沈埋函接合部の概略を示す断面図である。
【図２】本発明に係る装置によるバルクヘッド間連通状態の一例を示す断面図である。
【図３】同上の連通管接合部の部分拡大断面図である。
【図４】同上の連通作業開始前の状態を示す断面図である。
【図５】同上の連通間押し出し状態を示す断面図である。
【図６】同上の連通管の水圧接合状態を示す断面図である。
【図７】同上の連通完了状態を示す断面図である。
【図８】同上の連通解除作業開始状態を示す断面図である。
【図９】同上の連通解除作業における連通管後退途中の状態を示す断面図である。
【符号の説明】
１  既設沈埋函
１ａ  バルクヘッド
２ａ  バルクヘッド
２  新設沈埋函
３  接合端面
４  接合端面
５  止水ゴム
６  グラウト注入路
７  グラウト注入ホース
８  グラウトポンプ
９  アジテータ
１０  連通管受筒
１１  止水部
１２  開閉弁
１３  給排水路
１３ａ  給排水弁
１４  給排気路
１４ａ  給排気弁
１５  水圧導入路
１５ａ  水圧導入弁
２０  鞘管
２１  連通管
２２  止水部
２３  止水材
２４  開閉弁
２５  スクリュウージャッキ
２５ａ  スクリュー軸
２５ｂ  ナット
２５ｃ  ハンドル
２６  フランジ
２７  フランジ
【図１】
0003574840.tif 000002
【図２】
0003574840.tif 000003
【図３】
0003574840.tif 000004
【図４】
0003574840.tif 000005
【図５】
0003574840.tif 000006
【図６】
0003574840.tif 000007
【図７】
0003574840.tif 000008
【図８】
0003574840.tif 000009
【図９】
0003574840.tif 000010